(57)【要約】【課題】  放送受信器の信号分配回路における受動型の欠点である電力損失の発生をなくし、従来の能動型分配回路の問題点である能動素子の増幅特性の非線形歪み等の問題を解決し、且つ従来の能動型分配回路における信号品質の低下を防止し、更に、出力端子間の分離度を充分に得ることができる放送受信器用能動型信号分配回路を得る。【解決手段】  複数の高周波用トランジスタ１１、１２の各ベースと各エミッターをそれぞれ共通接続するとともに、各コレクターを個々に独立した出力端子１６、１７に接続する。共通接続したエミッターを共通の入力端子１５に接続し、前記共通接続したベースは容量１４でコールド電位とした共通のバイアス源１３に接続する。各トランジスタ１１、１２のコレクターと各独立した出力端子間において、外部電源Ｖｃｃを各々抵抗を介して接続する。【選択図】図１
2006166278.tif 000002
【特許請求の範囲】
【請求項１】
複数の高周波用トランジスタの各ベースと各エミッターをそれぞれ共通接続するとともに各コレクターを個々に独立した出力端子に接続し、
前記共通接続したエミッターを共通の入力端子に接続し、
前記共通接続したベースは容量で接地した共通のバイアス源に接続することによりベース接地したことを特徴とする放送受信器用能動型信号分配回路。
【請求項２】
前記共通接続したエミッターと入力端子間には、入力整合器を設けたことを特徴とする請求項１記載の放送受信器用能動型信号分配回路。
【請求項３】
前記各トランジスタのベースは、各々スイッチを介して共通接続したことを特徴とする請求項１記載の放送受信器用能動型信号分配回路。
【請求項４】
前記放送受信器用能動型信号分配回路をラジオ放送受信器に用いたことを特徴とする請求項１記載のラジオ放送受信器用能動型信号分解回路。
【請求項５】
前記放送受信器用能動型信号分配回路をテレビ放送受信器に用いたことを特徴とする請求項１記載のテレビ放送受信器用能動型信号分解回路。
【発明の詳細な説明】
【技術分野】
【０００１】
本発明は、放送受信器のアンテナで受信した信号を２つ以上に分配する回路に関し、特に分配損失を軽減するため能動型とし、それぞれの出力間のアイソレーションをとった放送受信器用能動型信号分配回路に関する。
【背景技術】
【０００２】
放送受信器の分配器は従来より種々のものが提案されており、これを大別すると例えば図４に示すような受動型分配器と、例えば図５及び図６に示すような能動型分配器に分けられる。図４に示すトランスTを用いた受動型分配器においては、一端がアンテナから受信信号を入力する入力端子(Input)３１に接続し、他端が接地される第１コイル３２と、一端が第１出力端子(Output 1)３３に接続し他端が第２出力端子(Output 2)３４に接続する第２コイル３５とを同一コアに巻回し、第１コイル３２の中間部と第２コイル３５との中間部を接続して高周波補正用のコンデンサ３６を介して接地すると共に、第１出力端子３３と第２出力端子３４間を両出力間の相互干渉防止用の抵抗３７で接続するものである。
【０００３】
このようなトランスを用いた受動型分配器においては、アンテナで受信した受信信号をトランスTによって２分し、第１出力端子３３と第２出力端子３４とから受信信号を取り出すことができるようにしたものであり、使用する素子が少なく安価な構成によって受信信号を２分することができる。
【０００４】
しかしながら、このような受動型分配器においては、受信信号を単に２分配するため、電力が２分の１となるので理論的に−３ｄＢの分配損失が発生することとなり、特に受信電波が弱く受信信号の電力が小さいときには、各出力端子に供給される受信信号の電力が小さくなり、放送受信器内での信号処理が適正に行われず、雑音等が発生し、性能の良い放送受信器を得ることができない。
【０００５】
一方図５に示す能動型分配器においては、トランジスタ４１のベースをアンテナから受信信号を入力する入力端子(Input)４２に第１コンデンサ４３を介して接続し、第１コンデンサ４３とベース間において第１抵抗４４を介してバイアス電源４５を接続する。トランジスタ４１のコレクター側は第２抵抗４６を介して外部電源Ｖｃｃに、エミッター側は第３抵抗４７を介して接地すると共に、第２抵抗４６とコレクター間において第２コンデンサ４８を介して第１出力端子４９に接続し、更に第３抵抗４７とエミッター間において第３コンデンサ５０を介して第２出力端子５１に接続している。
【０００６】
このような増幅手段を用いた能動型分配器においては、アンテナで受信した受信信号をトランジスタ４１のベースに入力することにより、その信号を増幅して第１出力端子４９と第２出力端子５１にそれぞれ利得を得て出力することができる。それにより、微弱な受信電波でも、これを受信電力を大きくして各端子に出力することができるようになる。
【０００７】
また、図６に示す能動型分配器は図５に示す分配器とほぼ同様の機能を備えた実際の回路構成を示しており、図５の例と同様にトランジスタ６１のベースをアンテナから受信信号を入力する入力端子６２に第１コンデンサ６３を介して接続し、トランジスタ６１のベースに外部からの電力を外部電力源Ｖｃｃ端子６４から供給可能とし、第１出力端子６５をトランジスタ６１のコレクター側に第２コンデンサ６６を介して接続し、エミッター側においては抵抗と第３コンデンサ６７を介して第２出力端子６８に接続するものである。
【０００８】
なお、能動型分配器を構成するに際しては例えば実開平７−２５６５７号公報に、上記のようなトランジスタを用いることなく、出力端子側からチョークコイルとダイオードを介して給電を行い、ブースターを構成することも提案されている。
【特許文献１】実開平７−２５６５７号公報
【発明の開示】
【発明が解決しようとする課題】
【０００９】
上記のように、図５及び図６に示すような能動型信号分配回路を用いた分配器においては、分配回路を能動型とすることにより前記受動型の欠点である分配損失による受信信号電力の低下をカバーすることができる。特に図５及び図６に示すような分配回路においては、能動素子としてのトランジスタ４１、６１をエミッター接地で用いることにより大きな増幅特性を得るようにしている。しかしながら、このようなエミッター接地ではその増幅特性による非線形歪みを生じやすいという問題がある。
【００１０】
また、図５及び図６に示す例においては、能動素子としてＮＰＮトランジスタを用いているので、入力のＳ／Ｎと出力のＳ／Ｎの比である雑音指数が大きくなり、出力信号における信号品質の低下の問題も生じる。
【００１１】
更に、図５及び図６に示す例においては能動素子としてＮＰＮトランジスタを用い、エミッター接地におけるコレクター側とエミッター側にそれぞれ第１出力端子４９または６５と第２出力端子５１または６８とを接続する構成としているので、このトランジスタの特性としてコレクターとエミッター間の電流の漏れが少ないため、出力インピーダンスが小さく、したがって第１出力端子と第２出力端子間で相互干渉を生じさせないようにする分離度（アイソレーション）が充分に得られないという問題もあった。また、前記特許文献１に示されるようなトランジスタを用いないものにおいては、特に増幅特性が悪く、高性能の放送受信器として使用することは適切ではない。
【００１２】
したがって本発明は、放送受信器の信号分配回路における受動型の欠点である電力損失の発生をなくし、従来の能動型分配回路の問題点である能動素子の増幅特性の非線形歪み等の問題を解決し、且つ従来の能動型分配回路における信号品質の低下を防止し、更に、出力端子間の分離度を充分に得ることができる放送受信器用能動型信号分配回路を得ることを主たる目的とする。
【課題を解決するための手段】
【００１３】
本発明による放送受信器用能動型信号分配回路は、上記課題を解決するため、ベースとエミッターがそれぞれ共通接続されたベース接地方式の回路構成をとり、コレクター出力がそれぞれの出力負荷に接続されて信号の分配を行うことを最も主要な特徴とし、より具体的には、複数の高周波用トランジスタの各ベースと各エミッターをそれぞれ共通接続するとともに各コレクターを個々に独立した出力端子に接続し、前記共通接続したエミッターを共通の入力端子に接続し、前記共通接続したベースは容量で接地した共通のバイアス源に接続することによりベース接地したことを特徴とする。
【００１４】
また、本発明による他の放送受信器用能動型信号分配回路は、前記放送受信器用能動型信号分配回路において、前記共通接続したエミッターと入力端子間には、入力整合器を設けたことを特徴とする。
【００１５】
また、本発明による他の放送受信器用能動型信号分配回路は、前記放送受信器用能動型信号分配回路において、前記各トランジスタのベースは、各々スイッチを介して共通接続したことを特徴とする。
【００１６】
また、本発明による他の放送受信器用能動型信号分配回路は、前記放送受信器用能動型信号分配回路において、前記放送受信器用能動型信号分配回路をラジオ放送受信器に用いたことを特徴とする。
【００１７】
また、本発明による他の放送受信器用能動型信号分配回路は、前記放送受信器用能動型信号分配回路において、前記放送受信器用能動型信号分配回路をテレビ放送受信器に用いたことを特徴とする。
【発明の効果】
【００１８】
本発明による放送受信器用能動型信号分配回路は上記のように構成したので、受動型の放送受信器信号分配回路のような電力損失の発生を生じることが無く、微弱な受信電波でも、これを受信電力を大きくして各端子に出力することができ、また、従来の能動型分配回路のような能動素子の増幅特性による非線形歪み等の問題を解決することができる。しかも従来の能動型信号分解回路における出力信号の品質低下を防止することができ、更に、出力端子間の分離度を充分に得ることができる。
【発明を実施するための最良の形態】
【００１９】
本発明による放送受信器用能動型信号分配回路は、受動型の欠点である電力損失の発生をなくし、従来の能動型分配回路の問題点である能動素子の増幅特性の非線形歪み等の問題を解決し、且つ出力信号の品質低下を防止し、更に、出力端子間の分離度を充分に得ることができる放送受信器用能動型信号分配回路を得るという目的を、ベースとエミッターがそれぞれ共通接続されたベース接地方式の回路構成をとり、コレクター出力がそれぞれの出力負荷に接続されて信号の分配を行うことを最も主要な特徴とし、より具体的には、複数の高周波用トランジスタの各ベースと各エミッターをそれぞれ共通接続するとともに各コレクターを個々に独立した出力端子に接続し、前記共通接続したエミッターを共通の入力端子に接続し、前記共通接続したベースは容量で接地した共通のバイアス源に接続することによりベース接地する回路構成を採用することにより実現した。
【実施例１】
【００２０】
本発明による放送受信器用能動型信号分配回路の第１実施例を図１に示す。図１に示す実施例においてはその主要構成として、高周波トランジスタであるＮＰＮ型トランジスタを２個の分配出力端子のために２個用いる構成を採用し、第１トランジスタ１１と第２トランジスタ１２とを、各々のベースとエミッターをそれぞれ共通接続してベース接地型の回路構成とし、そのベースは共通のバイアス電源１３に接続すると共に第１コンデンサ１４によりコールド電位とすることによって、エミッター側に接続する入力端子１５からの受信信号をベース接地の各トランジスタ１２、１３で各々増幅し、各トランジスタ１２、１３のコレクター出力端を各々第１出力端子１６と第２出力端子１７とに接続して信号の分配を行う構成を採用する。
【００２１】
より詳細に説明すると、第１トランジスタ１１と第２トランジスタ１２のベースを共通接続し、その共通線にバイアス電源１３を接続すると共に、交流ショート用の第１コンデンサ１４を介してバイパス接地する。また、各トランジスタ１１、１２のエミッターを共通接続し、その共通線を第２コンデンサ１８を介してアンテナ１０に接続している入力端子１５に接続すると共に、第２コンデンサ１８と前記各エミッターの共通接続部との間において第１抵抗１９を介して接地する。また、第１トランジスタ１１のコレクターは第３コンデンサ２０を介して第１出力端子１６に接続し、第２トランジスタ１２のコレクターは第４コンデンサ２１を介して第２出力端子１７に接続している。更に、第１トランジスタ１１のコレクターと第３コンデンサ２０間には、外部電源Ｖｃｃを第２抵抗２２を介して導き、同様に第２トランジスタ１２のコレクターと第４コンデンサ２１間には前記外部電源Ｖｃｃを第３抵抗２３を介して導いている。
【００２２】
上記のようにトランジスタのベース接地による増幅回路を採用することにより、その増幅率は大きくないものの幾分かの利得を持たせることができ、前記受動型信号分配回路の欠点であった挿入損失を低減させることができる。また、能動型信号分配回路においてベースへの受信信号入力で増幅を行う増幅回路を用いることによる欠点であった非線形歪みの発生を、ベース接地方式で低減することができるようになる。
【００２３】
しかも、このトランジスタの接続構成の特徴として、コレクター側からエミッター側への帰還インピーダンスが小さく、漏れ電流が多くなり、トランジスタの入力インピーダンスが小さい特徴があるため、雑音指数（ＮＦ）を小さくすることができる。それにより、従来の能動型信号分配回路において雑音指数が大きくなり、出力信号における信号品質が低下する問題を解消することができる。
【００２４】
更に、上記の特性によってその入出力インピーダンス特性が向上することと、帰還素子（Ｙｒｂ）の値が小さいことにより、逆方向伝達特性（Ｓ１２）を極めて小さくすることができる。そのため、第１出力端子１６と第２出力端子１７間の分離度（アイソレーション）を大きく取ることができ、従来の能動型信号分配回路における前記のような分離度が充分得られない問題を解消することができる。
【実施例２】
【００２５】
図２には本発明の第２実施例を示している。図２に示す実施例においてもその主要構成は前記第１実施例と同様であり、ＮＰＮ型トランジスタを出力端子の数に合わせてｎ個用いる構成を採用し、各トランジスタＴｒ１・・・Ｔｒｎの全てのベースとエミッターをそれぞれ共通接続して各トランジスタにおいてベース接地型の回路構成としている。各トランジスタのベースは共通のバイアス電源Ｂに接続すると共にコンデンサＣ１によりコールド電位とし、共通接続したエミッター側はインピーダンスマッチングを行う入力整合器を介して入力端子Ｉｎｐｕｔに接続している。各トランジスタのコレクター出力端を各々の出力端子Ｏｕｔｐｕｔ１・・・Ｏｕｔｐｕｔｎに接続し、ここに各々外部電源Ｖｃｃを抵抗Ｒ１・・・Ｒｎを介して導いている。
【００２６】
このような回路構成により、図１に示す第１実施例の回路とほぼ同機能を行い、従来のものの欠点を解消することができ、入力整合器によって入出力インピーダンスの整合を確実に取ることができるようになる。
【実施例３】
【００２７】
前記図２の第２実施例に示す回路構成は、例えば図３に示すようにスイッチＳＷ１・・・ＳＷｎを用いることにより、入力端子Ｉｎｐｕｔからの受信信号を各出力端子Ｏｕｔｐｕｔ１・・・Ｏｕｔｐｕｔｎに切り換えるように分配を行うこともできる。即ち図３に示す例においては、図２に示す回路とは各トランジスタＴｒ１・・・Ｔｒｎのベースに第１スイッチＳＷ１・・・第ｎスイッチＳＷｎを接続し、これらを全てバイアス電源Ｂに共通接続する。
【００２８】
このような回路構成を採用することにより、入力端子Ｉｎからの受信信号を各出力端子Ｏｕｔ１・・・Ｏｕｔｎに切り換えるように分配を行うことによって、各出力端子に対して択一的に受信信号を切換出力することができるばかりでなく、任意の複数の出力端子に受信信号を分配して出力することができ、全てのスイッチを閉じるときには、全ての端子に同時に受信信号を分配して出力することもできるようになる。  
【００２９】
なお、上記実施例の説明において、ＮＰＮ型トランジスタを用いた例で説明をしたが、ＮＰＮ型トランジスタに代えてＰＮＰ型トランジスタを用いて本発明の放送受信器能動型信号分配回路を構成できることはいうまでもない。
【産業上の利用可能性】
【００３０】
本発明による放送受信器用能動型信号分配回路は、ラジオ受信器を初めテレビ受信器等の種々の放送受信器に用いることができる。
【図面の簡単な説明】
【００３１】
【図１】本発明の第１実施例の回路図である。
【図２】本発明の第２実施例の回路図である。
【図３】本発明の第３実施例の回路図である。
【図４】従来の受動型分配器の回路図である。
【図５】従来の能動型分配器の回路図である。
【図６】従来の他の能動型分配器の回路図である。
【符号の説明】
【００３２】
１０  アンテナ
１１  第１トランジスタ
１２  第２トランジスタ
１３  バイアス電源
１４  第１コンデンサ
１５  入力端子
１６  第１出力端子
１７  第２出力端子
１８  第２コンデンサ
１９  第１抵抗
２０  第３コンデンサ
２１  第４コンデンサ
２２  第２抵抗
２３  第３抵抗
【図１】
2006166278.tif 000003
【図２】
2006166278.tif 000004
【図３】
2006166278.tif 000005
【図４】
2006166278.tif 000006
【図５】
2006166278.tif 000007
【図６】
2006166278.tif 000008